(57)【要約】      （修正有）【課題】判定者に印刷物の読取画像を表示して異常判定させることで異常画像の判定精度を高く維持しつつも、印刷物上の保護領域に印刷された機密情報が漏えいしないように機密性を保持する校正支援システムを提供する。【解決手段】校正支援システムは、検査対象の印刷物を読み取る読取部と、読取画像を対象に異常画像部を検出する異常画像検出部と、異常画像検出部が検出した異常画像部を含んだ表示用画像Ａ０１β・・・を生成する画像生成部と、表示用画像を表示する表示部４０とを備える。画像生成部は、読取画像の保護領域を複数に分割した分割画像を生成し、分割画像のうちの少なくとも複数を並べ替えて読込画像中の保護領域に配置した読込画像全体の形態を成す表示用画像を生成する。【選択図】図４
2019169757.tif 000002
【特許請求の範囲】
【請求項１】
検査対象の印刷物を読み取る読取部と、
前記読取部が読み取った読取画像を対象に異常画像部を検出する異常画像検出部と、
前記異常画像検出部が検出した異常画像部を含んだ表示用画像を生成する画像生成部と、
前記表示用画像を表示する表示部と、を備え、
前記画像生成部は、前記読取画像の保護領域を複数に分割した分割画像を生成し、当該分割画像のうちの少なくとも複数を並べ替えて前記読込画像中の保護領域に配置した前記読込画像全体の形態を成す前記表示用画像を生成する校正支援システム。
【請求項２】
前記読取部は、前記保護領域内の文字列が互いに異なる複数枚の印刷物を読み取り、
前記画像生成部は、前記複数枚の印刷物間で前記分割画像を混ぜ合わせて前記表示用画像を生成する請求項１に記載の校正支援システム。
【請求項３】
前記複数枚の印刷物の前記保護領域外の領域は共通である請求項２に記載の校正支援システム。
【請求項４】
前記画像生成部は、一の前記読取画像中に２以上の所定数以上の前記異常画像部を含む分割画像がある場合に、それらを複数枚の前記読取画像中に分散して複数の前記表示用画像を生成する請求項２又は請求項３に記載の校正支援システム。
【請求項５】
前記画像生成部は、前記異常画像部を含む分割画像の書式上の配置位置を変えずに前記表示用画像を生成する請求項１から請求項４のうちいずれか一に記載の校正支援システム。
【請求項６】
前記画像生成部は、前記保護領域内を文字列の属性ごとに分割し、同じ属性同士で並べ替えて前記表示用画像を生成する請求項１から請求項５のうちいずれか一に記載の校正支援システム。
【請求項７】
前記画像生成部は、前記保護領域内を所定の文字数ごとに分割して並べ替えて前記表示用画像を生成する請求項１から請求項５のうちいずれか一に記載の校正支援システム。
【請求項８】
前記画像生成部は、前記異常画像部を含まない分割画像の１又は２以上を検査用パターンと入れ替えて前記表示用画像を生成する請求項１から請求項７のうちいずれか一に記載の校正支援システム。
【請求項９】
前記画像生成部は、一文字内の分断を許して前記異常画像部を抜き出した分割異常画像を、他の前記異常画像部を含まない１又は２以上の分割画像上に配置して合成し、前記表示用画像を生成する請求項１から請求項８のうちいずれか一に記載の校正支援システム。
【請求項１０】
前記画像生成部は、前記分割異常画像が濃度過剰の異常である場合は、前記合成を併合合成とし、前記分割異常画像が濃度不足の異常である場合は、前記合成を置き換え合成とする請求項９に記載の校正支援システム。
【請求項１１】
前記読取画像に基づき、前記印刷物を印刷した画像形成装置の故障を診断する故障診断部を備え、
前記故障診断部は、前記異常画像部がどの分割画像に含まれるかを特定する情報に基づき、故障診断する請求項１から請求項１０のうちいずれか一に記載の校正支援システム。
【請求項１２】
前記故障診断部は、前記異常画像部が同じ印刷箇所に含まれる回数が所定回数以上のとき、同印刷箇所に画像を形成する前記画像形成装置の要素に不具合があると診断する請求項１１に記載の校正支援システム。
【請求項１３】
前記印刷物の原稿データと前記読取画像とに基づき前記保護領域内の誤記を検出する誤記検出部と、
前記誤記検出部が誤記を検出した印刷物を読み取った前記読取画像をアクセス制限付きで表示制御する表示制御部と、を備える請求項１から請求項１２のうちいずれか一に記載の校正支援システム。
【発明の詳細な説明】
【技術分野】
【０００１】
本発明は、印刷物中の異常画像の検出等を行う校正支援システムに関する。
【背景技術】
【０００２】
従来、スキャナで印刷物をスキャンしてヤレと呼ばれる異常画像を検出する異常画像検出装置が知られる。異常画像検出装置が異常画像を検出し、印刷物の校正を支援する。
異常画像検出装置は、印刷物をスキャンして自動で異常画像を検出するが、異常画像を検出したあと製品としての合否の判定はオペレータ（判定者）が行うことが多い。すなわち、機械判定の後、本当に商品等にならないかは最終的には人手判定によることがある。
判定者は異常画像検出装置でスキャンされた画像をディスプレイ上で確認してＮＧかＯＫかを判定する。この時、機械判定によるＯＫ画像も含め全画像を確認する場合もあれば、機械判定によるＮＧ画像のみ確認する場合もある。
ダイレクトメール、年賀状などの印刷を行う場合、個人情報をバリアブル印刷（部ごとに個人情報の部分を変えて印刷）することになる。可変する情報を差し替えながら印刷する技術をバリアブル印刷と呼ぶ。この場合、ディスプレイを見て判定を行う上記判定者は例えば判読し記憶する、スクリーンダンプして表示の内容を保存することなどができるから、バリアブル領域（可変領域）に印刷された個人情報等の機密情報が漏えいするという問題があった。
【０００３】
かかる問題に鑑み特許文献１に記載の発明にあっては、気密情報部分を他の文字、記号に置き換えて印刷することで、気密性を保持する。
【先行技術文献】
【特許文献】
【０００４】
【特許文献１】特開２０１５−８５５３３号公報
【発明の概要】
【発明が解決しようとする課題】
【０００５】
しかしながら、特許文献１に記載の発明のように、気密領域を他の文字等に置き換えて印刷し直すと、機械判定により異常とされた異常画像そのものを判定者に判定させることができず、異常画像の再現性の完全を尽くせないおそれがあり、機械判定、人手判定を通した異常画像検出の精度が低下するおそれがある。
【０００６】
本発明は以上の従来技術における問題に鑑みてなされたものであって、判定者に印刷物の読取画像を表示して異常判定させることで異常画像の判定精度を高く維持しつつも、印刷物上の保護領域に印刷された機密情報が漏えいしないように機密性を保持することを課題とする。
【課題を解決するための手段】
【０００７】
以上の課題を解決するための請求項１記載の発明は、検査対象の印刷物を読み取る読取部と、
前記読取部が読み取った読取画像を対象に異常画像部を検出する異常画像検出部と、
前記異常画像検出部が検出した異常画像部を含んだ表示用画像を生成する画像生成部と、
前記表示用画像を表示する表示部と、を備え、
前記画像生成部は、前記読取画像の保護領域を複数に分割した分割画像を生成し、当該分割画像のうちの少なくとも複数を並べ替えて前記読込画像中の保護領域に配置した前記読込画像全体の形態を成す前記表示用画像を生成する校正支援システムである。
【０００８】
請求項２記載の発明は、前記読取部は、前記保護領域内の文字列が互いに異なる複数枚の印刷物を読み取り、
前記画像生成部は、前記複数枚の印刷物間で前記分割画像を混ぜ合わせて前記表示用画像を生成する請求項１に記載の校正支援システムである。
【０００９】
請求項３記載の発明は、前記複数枚の印刷物の前記保護領域外の領域は共通である請求項２に記載の校正支援システムである。
【００１０】
請求項４記載の発明は、前記画像生成部は、一の前記読取画像中に２以上の所定数以上の前記異常画像部を含む分割画像がある場合に、それらを複数枚の前記読取画像中に分散して複数の前記表示用画像を生成する請求項２又は請求項３に記載の校正支援システムである。
【００１１】
請求項５記載の発明は、前記画像生成部は、前記異常画像部を含む分割画像の書式上の配置位置を変えずに前記表示用画像を生成する請求項１から請求項４のうちいずれか一に記載の校正支援システムである。
【００１２】
請求項６記載の発明は、前記画像生成部は、前記保護領域内を文字列の属性ごとに分割し、同じ属性同士で並べ替えて前記表示用画像を生成する請求項１から請求項５のうちいずれか一に記載の校正支援システムである。
【００１３】
請求項７記載の発明は、前記画像生成部は、前記保護領域内を所定の文字数ごとに分割して並べ替えて前記表示用画像を生成する請求項１から請求項５のうちいずれか一に記載の校正支援システムである。
【００１４】
請求項８記載の発明は、前記画像生成部は、前記異常画像部を含まない分割画像の１又は２以上を検査用パターンと入れ替えて前記表示用画像を生成する請求項１から請求項７のうちいずれか一に記載の校正支援システムである。
【００１５】
請求項９記載の発明は、前記画像生成部は、一文字内の分断を許して前記異常画像部を抜き出した分割異常画像を、他の前記異常画像部を含まない１又は２以上の分割画像上に配置して合成し、前記表示用画像を生成する請求項１から請求項８のうちいずれか一に記載の校正支援システムである。
【００１６】
請求項１０記載の発明は、前記画像生成部は、前記分割異常画像が濃度過剰の異常である場合は、前記合成を併合合成とし、前記分割異常画像が濃度不足の異常である場合は、前記合成を置き換え合成とする請求項９に記載の校正支援システムである。
【００１７】
請求項１１記載の発明は、前記読取画像に基づき、前記印刷物を印刷した画像形成装置の故障を診断する故障診断部を備え、
前記故障診断部は、前記異常画像部がどの分割画像に含まれるかを特定する情報に基づき、故障診断する請求項１から請求項１０のうちいずれか一に記載の校正支援システムである。
【００１８】
請求項１２記載の発明は、前記故障診断部は、前記異常画像部が同じ印刷箇所に含まれる回数が所定回数以上のとき、同印刷箇所に画像を形成する前記画像形成装置の要素に不具合があると診断する請求項１１に記載の校正支援システムである。
【００１９】
請求項１３記載の発明は、前記印刷物の原稿データと前記読取画像とに基づき前記保護領域内の誤記を検出する誤記検出部と、
前記誤記検出部が誤記を検出した印刷物を読み取った前記読取画像をアクセス制限付きで表示制御する表示制御部と、を備える請求項１から請求項１２のうちいずれか一に記載の校正支援システムである。
【発明の効果】
【００２０】
本発明によれば、読取画像中の保護領域を分割、並べ替えして判定者に表示して異常判定させるので、異常画像の判定精度を高く維持しつつも、同保護領域に印刷された機密情報が漏えいしないように機密性を保持することができる。
【図面の簡単な説明】
【００２１】
【図１】本発明の一実施形態に係る画像形成装置と校正支援システムの構成ブロック図である。
【図２】本発明の一実施形態に係るバリアブル印刷物の模式図である。
【図３】本発明の一実施形態に係る記憶部に記憶される画像の一覧である。
【図４】本発明の一実施形態に係る表示部に表示される表示用画像の模式図である。
【図５】本発明の一実施形態に係る記憶部に記憶される画像の一覧である。
【図６】本発明の一実施形態に係る表示部に表示される表示用画像の模式図である。
【図７】本発明の一実施形態に係る記憶部に記憶される画像の一覧である。
【図８】本発明の一実施形態に係る表示部に表示される表示用画像の模式図(a)及び分割異常画像の模式図(b)(c)である。
【図９】本発明の一実施形態に係る表示部に表示される表示用画像の選択画面を示す。
【図１０】本発明の一実施形態に係る校正支援システムにおける画像生成処理のルーチン示すフローチャートである。
【図１１】本発明の一実施形態に係る校正支援システムにおける画像生成処理のサブルーチンを示すフローチャートである。
【発明を実施するための形態】
【００２２】
以下に本発明の一実施形態につき図面を参照して説明する。以下は本発明の一実施形態であって本発明を限定するものではない。
【００２３】
図１に示すように、本実施形態の校正支援システム１は、読取部２０、ＣＰＵ３０、表示部４０、記憶部５１、操作部５２等を備える。表示部４０、操作部５２等は管理センターなどの遠隔地にある端末に付属のものである場合があり、その他の要素も設置場所は問わない。
読取部２０は、画像形成装置１０が印刷した検査対象の印刷物Ａ０１，Ａ０２，Ａ０３・・・を読み取る。
ＣＰＵ３０は、本システムの演算、制御を司る。ＣＰＵ３０は、その機能として異常画像検出部３１、画像生成部３２、表示制御部３３、故障診断部３４、誤記検出部３５等を備える。
印刷物Ａ０１，Ａ０２，Ａ０３・・・は、図２に示すようにバリアブル印刷物であり、印刷面はバリアブル領域（可変領域）Ｂ０１と、それ以外の共通領域Ｃ０１とで構成される。バリアブル領域Ｂ０１が保護領域である。バリアブル領域Ｂ０１には、個人情報が記載されている場合を例とする。郵便番号、住所、姓、名、電話番号等の各属性の項目が記載されている（図示例に拘らず細かく分割してもよい。）。共通領域Ｃ０１は、各印刷物Ａ０１，Ａ０２，Ａ０３・・・で共通であり、文書や画像などが印刷されている。
各印刷物の符号をＡ０１，Ａ０２，Ａ０３・・・とし、印刷物Ａ０１の読取画像の符号をＡ０１α、印刷物Ａ０１の共通領域Ｃ０１の読取画像Ｃ０１αをベースにした表示用画像の符号をＡ０１βとする。
【００２４】
異常画像検出部３１は、読取部２０が読み取った読取画像Ａ０１α，Ａ０２α，Ａ０３α・・・を対象に異常画像部を検出する。
画像生成部３２は、異常画像検出部３１が検出した異常画像部を含んだ表示用画像（Ａ０１β）を生成する。
表示制御部３３は、表示部４０への画像表示を制御する。
故障診断部３４は、読取画像Ａ０１α，Ａ０２α，Ａ０３α・・・に基づき画像形成装置１０の故障を診断する。
誤記検出部３５は、印刷物（Ａ０１）の原稿データ（共通領域データとバリアブル領域データ）と読取画像（Ａ０１α）とに基づきバリアブル領域（Ｂ０１）内の誤記を検出する。誤記は、画質は良好だか、誤字等の内容的な誤りがある場合を指し、印刷物（Ａ０１）の原稿データと読取画像（Ａ０１α）との文字等の不一致により検出される。
【００２５】
図３に示すように、画像生成部３２は、各読取画像（Ａ０１α・・・）を、バリアブル領域（Ｂ０１α・・・）と共通領域（Ｃ０１α・・・）とに分割して記憶部５１に登録する。バリアブル領域（Ｂ０１α・・・）はさらに図３のように各項目に分割して登録する。すなわち、画像生成部３２は、読取画像（Ａ０１α・・・）の保護領域（Ｂ０１α・・・）を複数に分割した分割画像を生成し登録する。
【００２６】
次に、画像生成部３２は、バリアブル領域（Ｂ０１α・・・）の分割画像のうちの少なくとも複数を並べ替えて読込画像中の保護領域に配置した読込画像全体の形態を成す表示用画像（Ａ０１β・・・）を生成する。
ここでは、分割した各項目について、読み取ったすべての分割画像の中からランダムに抽出し、例えば図４に示すような表示用画像Ａ０１βとする。例えば、１枚目の表示用画像Ａ０１βの項目「姓」を、すべての枚数の項目「姓」部分の分割画像からランダムに抽出するといった要領である。また、図４に示す表示用画像Ａ０１βにおいては、郵便番号は７番目の読取画像Ａ０７αのもの、都道府県は９番目の読取画像Ａ０９αのものといった具合である。表示用画像Ａ０２βについても同様に生成する。
以上のように読取部２０は、保護領域内の文字列が互いに異なる複数枚の印刷物を読み取り、画像生成部３２は、複数枚の印刷物間で分割画像を混ぜ合わせて表示用画像を生成する。
表示制御部３３は、表示用画像（Ａ０１β・・・）を表示部４０に表示する。判定者に対し、表示部４０を介して図４に示すような表示用画像（Ａ０１β・・・）が表示される。
【００２７】
このように、バリアブル領域内の各分割画像を全ての読み取ったページにわたり、ランダムに並べることで本来のバリアブル領域に書かれた情報（以下「バリアブルデータ」）とは異なった真正でないものとなり、バリアブルデータの気密性が保持される。その一方、判定者は、印刷面（バリアブル領域及び共通領域）に異常画像部が含まれているか否か判定し、操作部５２を介して判定を入力することができる。異常画像判定部３１は、表示用画像が判定者により異常画像部があると判定されたら、この判定者による判定も考慮して異常画像部を特定し、異常画像の判定精度を上げる。
【００２８】
図５は、異常画像検出部３１により、１枚目の「都道府県」のみに異常画像部が含まれると検出された場合を示す。
この場合、画像生成部３２は、図６に示すように異常画像部がある分割画像（都道府県１）については、オリジナルの印刷物Ａ０１（読込画像Ａ０１α）どおりに、同じ記載領域に表示し、その他の異常画像部がない分割画像をランダムに並べて表示する。すなわち、画像生成部３２は、異常画像部を含む分割画像の書式上の配置位置を変えずに表示用画像を生成する。
これにより、判定者は異常画像部を目視確認することができ、かつバリアブル領域全体では真正でない内容が表示される。判定者は異常画像部が印刷物全体（表示用画像Ａ０１β）に対してどの程度の悪影響を及ぼすか視覚的に確認することができる。
【００２９】
上記例でも実施したように画像生成部３２は、バリアブル領域内を文字列の属性ごとに分割し、同じ属性同士で並べ替えて表示用画像を生成する。例えば、住所の場合、都道府県、市区町村などの属性毎に分割、保存し、都道府県は都道府県で、市区町村は市区町村で入れ替える。これにより、判定者が確認したときにバリアブルデータを確認できない（真正の住所情報を認識できない）が、住所を表している部分であることがわかるようにする。
【００３０】
バリアブル領域の分割は、住所の場合でも属性毎に分割せず、所定の文字数または範囲で分割を行うことで更にバリアブルデータの隠ぺい性を高くしてもよい。
電話番号、郵便番号、番地などの数字部分のみはランダムな数字として桁数のみ合わせる。この場合の数字部分について、画像生成部３２は、異常画像部を含まない分割画像の１又は２以上を検査用パターンと入れ替えて表示用画像を生成することとしてもよい。例えば、電話番号の特定位置の読取画像「９」に異常画像部があり、他に異常画像部が無い場合、その「９」のみは読取画像を用いるが、他は０−９の検査用パターンと入れ替え得て表示用画像と生成する。例えば、「７８９」とあるときに、「７」「８」は検査用パターンの「５」「２」と入れ替えて、「５２９」とする場合などである。その場合でも、異常画像部がある読取画像「９」を判定者に表示することができ、電話番号の隠ぺい性を高めることができる。
【００３１】
画像生成部３２は、一の読取画像中に２以上の所定数以上の異常画像部を含む分割画像がある場合に、それらを複数枚の読取画像中に分散して複数の表示用画像を生成する。
例えば図７に示すように、読取画像Ａ０１αのバリアブル領域Ｂ０１αで５つの分割領域（都道府県１、市区町村１、字名１、丁目１、番地１）に異常画像部があった場合、少なくとも５枚の表示用画像を作成して、各表示用画像に上記５つの分割領域（都道府県１、市区町村１、字名１、丁目１、番地１）を分散する。判定者には５枚の表示用画像が同じ印刷物（Ａ０１）の異常画像部と判断できないようにする必要がある。異常画像部の発生していない共通領域を４ページ分持ってきて、異常画像部が発生した要素をはめ込み判定者に表示する。例えば、共通領域Ｃ０１βに「都道府県１」をはめ込み、共通領域Ｃ０２βに「市区町村１」をはめ込み、共通領域Ｃ０３βに「字名１」をはめ込み、共通領域Ｃ０４βに「丁目１」をはめ込み、共通領域Ｃ０５βに「番地１」をはめ込む。この場合、そのうち１枚でも判定者によるＮＧ判定があれば、印刷物Ａ０１がＮＧと判定することができる。
【００３２】
画像生成部３２は、次の処理をすることとしてもよい。すなわち、画像生成部３２は、一文字内の分断を許して異常画像部を抜き出した分割異常画像を、他の異常画像部を含まない１又は２以上の分割画像上に配置して合成し、表示用画像を生成する。
異常画像部のみを切り出し、ランダムに並べたバリアブル領域にオーバレイで異常画像部のみを重ねて表示を行う。読取画像Ａ０１αで住所、姓名の部分に異常画像部がある場合、図８(b)(c)に示すような分割異常画像ｄ１，ｄ２を切り出し保存し、図８(a)に示すようにランダムに並べた分割画像（都道府県９と姓１３、市区町村２３と名１）にオーバレイ/オーバライトで表示し、判定者には分割異常画像による影響が判定できるようにする。画像生成部３２は、分割異常画像が図８(b)に示すように汚れ等の濃度過剰の異常である場合は、合成を併合合成（オーバーレイ）とし、分割異常画像が図８(c)に示すように画像抜け当の濃度不足の異常である場合は、合成を置き換え合成（オーバライト）とする。これにより分割異常画像の視認性を再現する。
【００３３】
一方、故障診断部３４は、異常画像部がどの分割画像に含まれるかを特定する情報に基づき、故障診断する。同じ属性で一定の割合以上に異常画像部が検出されている場合はその部分（主走査位置）に故障が発生していると判断する。故障診断部３４は、異常画像部が同じ印刷箇所に含まれる回数が所定回数以上のとき、同印刷箇所に画像を形成する画像形成装置１０の要素に不具合があると診断する。
【００３４】
以上のように判定者が最終的に検品を行う場合、バリアブル領域の汚れ、スジなどによる不良を印刷物全体の表示形態により判定することができるとともに、バリアブルデータの機密性を保持できる。
【００３５】
〔その他補足事項〕
バリアブル印刷を行う場合の本発明を適用した検品方法につきさらに言及する。
【００３６】
１．印刷原稿は、バリアブル領域だけの場合（追い刷り）、全ての画像を含む場合どちらでも良い。
まず、画像形成装置１０から出力した出力紙を読取部２０で読み取る。
読み取った読取画像（Ａ０１α・・・）は、バリアブル領域の読み取り部分を切り出したバリアブル読取画像（Ｂ０１α・・・）、バリアブル領域以外の出力を読み取った共通部読取画像（Ｃ０１α）に分割する。
【００３７】
２．共通部読取画像（Ｃ０１α）については、通常の異常画像検知と同じ検知動作を行う。共通部読取画像（Ｃ０１α）は、予め用意した正解画像との比較を行い異常画像検知を実施する。正解画像はプルーフ印刷での出力を読み取ったものを判定者が確認し問題なければ正解画像としたり、プルーフ印刷での出力を読み取ったものと、原稿データを比較し問題ないと判定したものを使ったり、原稿データそのものを使ったりする。原稿データそのものだと、比較対象と解像度等が異なるため解析時間が多くかかったり追い刷りの場合は原稿データがない場合もある。異常画像検知の内容は特に限定はない。判定者は、読取部２０で読み取った画像を表示部４０に表示して確認を実施するがこれもバリアブル領域以外では特に限定はない。
【００３８】
３．バリアブル読取画像（Ｂ０１α・・・）については、さらに領域を分解する。
領域を分解する場合、正解画像の方で予め属性毎に領域を用意しおき、この領域に従って分解を行う。
またはOCRで文字を読み取り、たとえば住所、氏名など属性を判断しても良い。
また属性毎に分解して保存せず、領域の面積、読み取った文字数で分解しても良い。
分解した領域は、図３に示したように、読取ページ（Ａ０１α、Ａ０２α、Ａ０３α・・・）毎に保存を行う。
読取画像を判定者に表示する場合に、同じ属性の中からランダムに選択した要素を表示することで、判定者は画像としてのレイアウトは確認できるが、バリアブル領域の内容を確認することはできない。また１ページ内でバリアブル領域の分割要素数が多い場合、同じ属性でなくても当該分割要素を不規則に並べることで判定者がバリアブル領域の内容を確認できないようにしても良い。例えば、漢字部を１文字ずつ分割する場合に、住所の漢字と姓名の漢字を混ぜてしまう場合などである（英文の場合のアルファベットなど同じ文字種を混ぜ合わせる）。
【００３９】
４．バリアブル領域の機械校閲は大きく分けて次の２種類行う。（１）誤記検出部３５により読取画像中の誤記を検出する。（２）異常画像検出部３１により、汚れ、印字されないなどの異常画像を検出する。
誤記検出部３５は、属性毎に保存された分割画像データと、バリアブルデータ（原稿データ）を比較して誤記検出を行う。
上記（１）の不良を検知した場合は、警告表示を行う。表示部４０に表示する場合はアクセス権限のない判定者による確認でなく、バリアブルデータへのアクセス権限のあるデータ管理者による確認となるので、表示部４０上には分割並べ替え前のバリアブル読取画像（Ｂ０１α・・・）そのものを表示するが、アクセスの権限を持った場合のみ閲覧可能とするため、表示制御部３３は、バリアブル読取画像（Ｂ０１α・・・）をアクセス制限付きで表示制御する。表示制御部３３は、アクセス制限として例えば、パスワード入力、指紋認証、虹彩認証等を要求する。
上記（２）の不良を検知した場合の表示用画像は、不良が発生した要素はそのままの読取画像を使用し、それ以外は読取画像か検査用パターンかを問わず属性毎にランダムに選択された要素で表示を行う。判定者は異常画像部がある分割画像を含み、それ以外を並べ変えられたバリアブルデータの表示を確認し最終的にＯＫ/ＮＧの判定を操作部５２から入力する。判定者は異常画像部の確認を実施でき、かつバリアブルデータの内容の確認を行えない。
例えば図９に示すように判定者が校閲のため操作部５２を操作して表示部４０に表示する場合は、異常画像部を含まない表示用画像も含めてサムネイルｎ１−ｎ４にして、適宜送りボタンｎ１１や戻しボタンｎ１０を表示し、選択される表示用画像を拡大表示ｎ２０にすることができるようにする。
表示部４０に表示するための画像は、例えば図１０に示すフロー（ステップＳ１１−Ｓ１５）、図１１に示すフロー（ステップＳ２１−Ｓ２９）による手順で作成する。図１０に示すフローでは一気に全画像を作成しているが、表示に必要な数だけ作成しても良い。図１１に示すフローでは複数の異常画像部がバリアブル領域に含まれていた場合、複数枚の画像を作成する場合を示している。Ｎは、読み取った画像の一枚一枚を示す序数であり、Ｍは、一枚の読取画像（例えばＡ０１α）内の異常画像部がある分割画像の数を指す。図１０に示すステップ（サブルーチン）Ｓ１４の処理内容が図１１に示すフローである。
【００４０】
５．バリアブル領域の表示を行う場合、文字列をOCR等で読み取ることが多い。認識した文字が数字や、バーコードなどであった場合、検査用パターンによるランダムな図柄に変換して表示することで異常画像の認識率を落とさずバリアブル領域の秘匿性を更に向上させることができる。
【００４１】
６．バリアブル領域内で異常画像部の面積が多い（数が多い）場合（同じページで多くの属性でＮＧ検出した場合など）、判定者への表示に全ての異常画像部を表示するとバリアブルデータが判定者に読み取れてしまう可能性がある。この場合は、判定者に表示する枚数を増やすことで対応し、複数ページに分散させる。
判定者はどの要素がどのページの異常画像部かは判定できないが、異常画像部があるか否かの判定を行うことができる。
１箇所でも判定者がＮＧと判定した場合は、そのページはＮＧとして扱い、同じページ内で１箇所も異常画像と判定されなければＯＫデータとして扱う。
【００４２】
７．バリアブル印刷ではバリアブル領域の記載内容が可変する複数枚の印刷を行うことを想定している。バリアブル領域内の異常画像検出は、異常画像部の位置が特定し易いため異常画像部の位置を利用して画像形成装置１０の故障診断を行うことができる。
主走査方向の同じ位置で異常画像部を検出した場合は画像形成装置１０の異常部分を特定し故障診断として結果を通知することができる。
【符号の説明】
【００４３】
１     校正支援システム
１０   画像形成装置
２０   読取部
３１   異常画像検出部
３２   画像生成部
３３   表示制御部
３４   故障診断部
３５   誤記検出部
４０   表示部
５１   記憶部
５２   操作部
Ａ０１，Ａ０２，Ａ０３・・・印刷物
Ａ０１α，Ａ０２α，Ａ０３α・・・ 読取画像
Ａ０１β，Ａ０２β，Ａ０３β・・・ 表示用画像
Ｂ０１ バリアブル領域（印刷物）
Ｂ０１α，Ｂ０２α，Ｂ０３α・・・ バリアブル領域（読取画像）
Ｃ０１ 共通領域（印刷物）
Ｃ０１α，Ｃ０２α，Ｃ０３α・・・ 共通領域（読取画像）
ｄ１，ｄ２    分割異常画像
【図１】
2019169757.tif 000003
【図２】
2019169757.tif 000004
【図３】
2019169757.tif 000005
【図４】
2019169757.tif 000006
【図５】
2019169757.tif 000007
【図６】
2019169757.tif 000008
【図７】
2019169757.tif 000009
【図８】
2019169757.tif 000010
【図９】
2019169757.tif 000011
【図１０】
2019169757.tif 000012
【図１１】
2019169757.tif 000013